(57)【要約】【課題】ＰＤＰパネル２０の枯化冷却方法および枯化冷却装置において、パネル表面に亀裂を生じさせることなくＰＤＰパネル２０を枯化する。【解決手段】ＰＤＰパネル２０の下方に配置させＰＤＰパネル２０の背面と平行に移動する送風機２を設け、一つのモ−タ４により送風機２から送られる空気をＰＤＰパネルの背面を一様に吹き付けながら送風機２を往復移動させることにより、ＰＤＰパネルの部分的温度上昇は抑制される。【選択図】　　　図１
2004127805.tif 000002
【特許請求の範囲】
【請求項１】
プラズマディスプレイパネルの各側面を押さえ固定するクランパと各クランパを介して前記プラズマディスプレイパネルの各電極に通電し前記プラズマディスプレイパネルを枯化させるエ−ジングトレイと、前記プラズマディスプレイパネルの背面に向け空気を送風する送風機とを備え、前記プラズマディスプレイパネルと平行に前記送風機を移動させながら送風することにより前記プラズマディスプレイパネルを冷却することを特徴とするプラズマディスプレイの枯化冷却方法。
【請求項２】
前記送風機の移動は往復移動であることを特徴とする請求項１記載のプラズマディスプレイの枯化冷却方法。
【請求項３】
プラズマディスプレイパネルの各側面を押さえ固定するクランパと各クランパを介して前記プラズマディスプレイパネルの各電極に通電し前記プラズマディスプレイパネルを枯化させるエ−ジングトレイと、前記プラズマディスプレイの背面に向け空気を送風する送風機と、前記プラズマディスプレイパネルと平行に前記送風機を移動させる移動機構とを備えることを特徴とするプラズマディスプレイ枯化冷却装置。
【請求項４】
前記プラズマディスプレイパネルと平行に前記送風機が往復移動させる切替機構を備えることを特徴とする請求項３記載のプラズマディスプレイ枯化冷却装置。
【請求項５】
前記移動機構の動力源は、前記送風機を回転させるモ−タから得ることを特徴とする請求項３または請求項４記載のプラズマディスプレイ枯化冷却装置。
【請求項６】
前記送風機の送風口が、前記送風機の移動方向と直交する方向に伸びる矩形状であるとともに前記プラズマディスプレイパネルの前記方向の辺の長さより稍長いことを特徴とする請求項３、請求項４または請求項５記載のプラズマディスプレイ枯化冷却装置。
【請求項７】
前記送風機は、一台であることを特徴とする請求項３、請求項４、請求項５または請求項６記載のプラズマディスプレイ枯化冷却装置。
【発明の詳細な説明】
【０００１】
【発明の属する技術分野】
本発明は、プラズマディスプレイ（以下、「ＰＤＰ」と呼ぶ）の枯化（エ−ジング）中にＰＤＰのパネルを冷却するＰＤＰの枯化冷却方法および枯化冷却装置に関する。
【０００２】
【従来の技術】
一般に、ＰＤＰは、放電ガスを封入し、パネルに組立後に、所定時間にわたり継続的に表示面内の全ての放電セルを点灯させエ−ジングが行われている。このエ−ジングを行うことによって誘電体層の表層部が物理的および化学的に清浄化され、放電開始電圧が下がって駆動が容易になるとともに放電が安定化する。
【０００３】
このように、ＰＤＰでは、プラズマ放電を利用して画像表示を行うため、画像表示しているガラス部分は、プラズマ放電に起因して相当の発熱がある。特に、この発熱量は、表示画像の明暗に応じた量であるため、パネルの全面として見れば、画像表示に応じた局所的な温度の不均一が生じる。その結果、ガラス基板に部分的に大きな熱歪みが生じ、ガラス基板に割れが生ずるという問題がある。このため、長時間セルを点灯させるエ−ジング装置では、パネルの背面にファンを配置し強制的にパネルを冷却する必要があった。
【０００４】
このエ−ジング中にパネルを冷却装置には、特に専用の設備がなく、パネルと同等の大きさの板部材に小型のファンを複数取り付けた簡単なものが用いられていた。そして、架台の上にパネルのエ−ジングトレイを載せ、下方に冷却装置を配置し、エ−ジングトレイに取付けられたＰＤＰパネルの全てのセルに通電し、ファンの送風によりＰＤＰパネルを冷却しながらエ−ジングを行っていた。
【０００５】
【発明が解決しようとする課題】
しかしながら、この簡便な冷却装置では、板部材に取付けられるファンがが点在して配置されるので、ファンの配置されていない部分が温度上昇し送風されている部分が冷却するという温度ムラが生じるという問題があった。この温度ムラが時間の経過に伴って大きくなり、ＰＤＰのガラス板に亀裂が生じ、枯化時間に至るまでに破壊されるという問題がある。
【０００６】
また、この冷却装置は効率が悪く、しかも複数のファンを同時に稼働させることは、エネルギ−の消耗が大きく運用コストが高くなるという欠点がある。
【０００７】
従って、本発明の目的は、省資源で運用できるとともにＰＤＰパネル表面に亀裂を生じさせることなくＰＤＰパネルを枯化できるプラズマディスプレイの枯化冷却方法および枯化冷却装置を提供することにある。
【０００８】
【課題を解決するための手段】
本発明の特徴は、プラズマディスプレイパネルの各側面を押さえ固定するクランパと各クランパを介して前記プラズマディスプレイパネルの各電極に通電し前記プラズマディスプレイパネルを枯化させるエ−ジングトレイと、前記プラズマディスプレイパネルの背面に向け空気を送風する送風機とを備え、前記プラズマディスプレイパネルと平行に前記送風機を移動させながら送風することにより前記プラズマディスプレイパネルを冷却するプラズマディスプレイの枯化冷却方法である。また、
前記送風機の移動は往復移動であることが望ましい。
【０００９】
本発明の他の特徴は、プラズマディスプレイパネルの各側面を押さえ固定するクランパと各クランパを介して前記プラズマディスプレイパネルの各電極に通電し前記プラズマディスプレイパネルを枯化させるエ−ジングトレイと、前記プラズマディスプレイの背面に向け空気を送風する送風機と、前記プラズマディスプレイと平行に前記送風機を移動させる移動機構とを備えるプラズマディスプレイ枯化冷却装置である。
【００１０】
また、前記プラズマディスプレイと平行に前記送風機が往復移動させる切替機構を備えることが望ましい。さらに、前記移動機構の動力源は、前記送風機を回転させるモ−タから得ることが望ましい。一方、好ましくは、前記送風機の送風口が、前記送風機の移動方向と直交する方向に伸びる矩形状であるとともに前記プラズマディスプレイパネルの前記方向の辺の長さより稍長いことである。また、前記送風機は、一台であることが望ましい。
【００１１】
【発明の実施の形態】
次に、本発明について図面を参照して説明する。
【００１２】
図１は本発明の一実施の形態におけるプラズマディスプレイ枯化冷却装置を示す斜視図である。このプラズマディスプレイ枯化冷却装置は、図１に示すように、ＰＤＰパネル２０の各側面を押さえ固定するクランパ１ａ，１ｂ，１ｃ，１ｄと、各クランパ１ａ，１ｂ，１ｃ，１ｄを介してＰＤＰパネル２０の各電極に通電し前記プラズマディスプレイパネルを枯化させるエ−ジングトレイ１と、架台３の下方に配置されＰＤＰパネル２０の背面に向け空気を送風する送風機２と、ＰＤＰパネル２０と平行に送風機２を移動させる移動機構とを備えている。
【００１３】
また、送風機２を移動させる移動機構は、モ−タ４の回転軸からの回転を伝達し回転速度を減速するギヤボックス８と、ギヤボックス８から導出されるピニオンと噛み合うラック６と、送風機２の移動を案内するガイドバ−５とを備えている。さらに、モ−タ４およびギヤボックス８は、送風機２と一体化するように連結され、送風機２とともに移動する。なお、ラック６およびガイドバ−５は、送風機２の移動に干渉しないように、ベ−スプレ−ト１７に取付けられている。
【００１４】
なお、吸気口１０から吸気される空気は、矩形状の送風口９から排出される。送風口９の長手方向の寸法は、ＰＤＰパネル２０の幅方向の寸法より稍大きいことが望ましい。また、運用コストおよび構造の単純化の点を考慮すると、送風機２は一台が望ましい。
【００１５】
一方、エ−ジングトレイ１を構成するクランパ１ａは、ＰＤＰパネル２０の走査端子に通電する電極を有している。このクランパ１ａに対向するＰＤＰパネル２０の側辺をクランプするクランパ１ｃは、ＰＤＰパネル２０の共通端子を押さえる電極をもっている。また、クランパ１ｂとクランパ１ｄは、ＰＤＰパネルのデ−タ端子に通電するための電極を有している。そして、図示されていない枯化駆動回路により各クランプ１ａ，１ｂ，１ｃ，１ｄに通電されＰＤＰパネル２０の全てのセルが動作しエ−ジングが行われる。
【００１６】
図２は図１のギヤボックス近傍を示す図である。送風機２の羽根を回転させるモ−タ４の回転軸７にはベベルギヤ−１６ａが取付けられている。また、ギャ−ボックス８には、図２に示すように、ベベルギヤ−１６ａと噛み合うベベルギヤ−１６ｂをもつ減速機１１を備えている。そして、減速機１１の出力軸に取り付けられたベベルギヤ−１６ｃと噛み合うベベルギヤ−１６ｄを介してベベルギヤ−１６ｅが回転され、ピニオン１２に回転を伝達している。このように、一つのモ−タ４の回転動力が送風機２の移動力に兼用されている。
【００１７】
また、クラッチ１４は、ベベルギヤ−１６ｄをスプラインシャフト１３にスライドさせベベルギヤ−１６ｅに噛み合うように動作させる。そして、クラッチ１４をオフすると、内蔵のスプリングの付勢により、後退しベベルギヤ−１６ｄとベベルギヤ−１６ｅおよびベベルギヤ−１６ｃの噛み合いが外れる。なお、クラッチ１５を付勢すると、ベベルギヤ−１６ｆがスプラインシャフト１３上を摺動し、ベベルギヤ−１６ｅおよびベベルギヤ−１６ｃと噛み合い、ピニオン１２は反対方向に回転する。
【００１８】
このスプラインシャフト１３を使うことにより、ベベルギヤ−１６ｃから外れたベベルギヤ−１６ｆでも、ベベルギヤ−１６ｃと噛み合うベベルギヤ−１６ｄによって回転しているので、各ベベルギヤ−１６ｃ，１６ｄ，１６ｅ，１６ｆの回転が同期が採れるので回転方向の切換えが円滑にできる。
【００１９】
図３（ａ）および（ｂ）は図１のプラズマディスプレイ枯化冷却装置の動作を説明する図である。まず、図２に示すギヤボックス８のクラッチ１４がオンの状態でスタ−トする。送風機２は、エ−ジング中のＰＤＰパネル２０に送風しながら、図３（ａ）に示すように、ピニオン１２が回転し噛み合うラック６によって、送風機２は矢印の方向に移動する。
【００２０】
次に、送風機２がストロ−クエンドに達すると、図示していないリミットスイッチが動作し、図２のクラッチ１４がオフし、クラッチ１５が動作しピニオン１２の回転方向が変わり、送風機２は、図３（ｂ）に示すように、ＰＤＰパネル２０に送風しながら、矢印の方向に移動する。
【００２１】
また、送風機２が図３（ａ）に示すストロ−クエンドに達すると、リミットスイッチが動作し、図２のクラッチ１５がオフし、クラッチ１４が動作しピニオン１２の回転方向が元の正回転に戻り、矢印の方向に送風機２が移動する。
【００２２】
このような送風機２の繰り返して往復移動させることにより、エ−ジング中のＰＤＰパネル２０を一様に冷却し、部分的に温度上昇を抑制する。
【００２３】
【発明の効果】
以上説明したように本発明は、ＰＤＰパネルに平行に移動する送風機を設け、送風機から送られる空気をＰＤＰパネルの面を一様に吹き付けることにより、ＰＤＰパネルの部分的温度上昇は抑制され、温度ムラが無くなり、ＰＤＰパネルの破損が皆無となり、歩留まりの向上が図れるという効果がある。
【図面の簡単な説明】
【図１】本発明の一実施の形態におけるプラズマディスプレイ枯化冷却装置を示す斜視図である。
【図２】図１のギャボックス近傍を示す図である。
【図３】図１のプラズマディスプレイ枯化冷却装置の動作を説明する図である。
【符号の説明】
１　　エ−ジングトレイ
１ａ，１ｂ，１ｃ，１ｄ　　クランパ
２　　送風機
３　　架台
４　　モ−タ
５　　ガイドバ−
６　　ラック
７　　回転軸
８　　ギヤボックス
９　　送風口
１０　　吸気口
１１　　減速機
１２　　ピニオン
１３　　スプラインシャフト
１４，１５　　クラッチ
１６ａ，１６ｂ，１６ｃ，１６ｄ，１６ｅ，１６ｆ　　ベベルギヤ−
１７　　ベ−スプレ−ト
２０　　ＰＤＰパネル
【図１】
2004127805.tif 000003
【図２】
2004127805.tif 000004
【図３】
2004127805.tif 000005